(57)【特許請求の範囲】
【請求項１】
車室内で各種情報を表示する車載表示装置であって、
インストルメントパネルの筐体に組み込まれた第１の表示器と、
前記インストルメントパネルの近傍に配置された第２の表示器と、を備え、
前記第１の表示器と前記第２の表示器とに表示される情報を連携して表示させ、
前記第１の表示器は、
前記インストルメントパネルの表面に沿うように敷設されたシート状のマウント基材であって、複数の光源が配列された回路体からなるマウント基材と、
前記マウント基材の表面に重ね合わされたシート状の表面パネルと、
からなるシート状の２層構造を有し、
前記表面パネルには、厚さ方向に貫通する複数の細孔が形成され、前記細孔の軸線は、前記表面パネルの前記厚さ方向に対して乗員席側に傾斜している、
車載表示装置。
【請求項２】
前記第１の表示器が運転席側の前記インストルメントパネルの筐体に組み込まれた、
請求項１に記載の車載表示装置。
【請求項３】
前記第１の表示器が助手席側の前記インストルメントパネルの筐体に組み込まれた、
請求項１に記載の車載表示装置。
【請求項４】
車室内で各種情報を表示する車載表示装置であって、
インストルメントパネルの筐体に組み込まれた第１の表示器と、
前記車室内に配置された第２の表示器と、を備え、
前記第１の表示器と前記第２の表示器とに表示される情報を連携して表示させ、
前記第１の表示器は、
前記インストルメントパネルの表面に沿うように敷設されたシート状のマウント基材であって、複数の光源が配列された回路体からなるマウント基材と、
前記マウント基材の表面に重ね合わされたシート状の表面パネルと、
からなるシート状の２層構造を有し、
前記表面パネルには、厚さ方向に貫通する複数の細孔が形成され、前記細孔の軸線は、前記表面パネルの前記厚さ方向に対して乗員席側に傾斜している、
車載表示装置。
【発明の詳細な説明】
【技術分野】
【０００１】
本発明は、車両に搭載された車載表示装置に関する。
【背景技術】
【０００２】
通常、運転支援等の情報は、車内に設置されたディスプレイやメータ等の表示器によって表示される。
例えば、車室内に設置された表示器にキャラクタを登場させ、キャラクタを通じて運転者に各種の情報を提示する運転支援システムがある（特許文献１参照）。
【先行技術文献】
【特許文献】
【０００３】
【特許文献１】特開２０１３−７８９６９号公報
【発明の概要】
【発明が解決しようとする課題】
【０００４】
しかしながら、このような従来の運転支援システムは、インストルメントパネルの前面に配置される一つの表示器に、各種情報として、音楽情報を表示したり、ナビゲーション画面を表示したり、インターネットの情報を表示していた。即ち、車室内の１箇所に設置された表示器には、内容の異なるさまざまな情報が表示された。
このため、表示の役割に適した位置に情報が表示されておらず、乗員にとって見づらく分かりにくくなるという問題があった。
【０００５】
一方、車室内に複数の表示器が配置されている場合、複数の表示器には、別々の情報が表示されている。そのため、いずれの情報を乗員に優先して伝えたいのかが分かりにくかった。このため、運転を支援する際、運転者への注意喚起が難しかった。
【０００６】
本発明は、上述した事情に鑑みてなされたものであり、その目的は、表示の役割に適した位置で特定の情報を連携して表示させることができ、乗員に伝える情報を分かり易くすることができる車載表示装置を提供することにある。
【課題を解決するための手段】
【０００７】
前述した目的を達成するために、本発明に係る車載表示装置は、下記（１）〜（４）を特徴としている。
（１）  車室内で各種情報を表示する車載表示装置であって、
インストルメントパネルの筐体に組み込まれた第１の表示器と、
前記インストルメントパネルの近傍に配置された第２の表示器と、を備え、
前記第１の表示器と前記第２の表示器とに表示される情報を連携して表示させ、
前記第１の表示器は、
前記インストルメントパネルの表面に沿うように敷設されたシート状のマウント基材であって、複数の光源が配列された回路体からなるマウント基材と、
前記マウント基材の表面に重ね合わされたシート状の表面パネルと、
からなるシート状の２層構造を有し、
前記表面パネルには、厚さ方向に貫通する複数の細孔が形成され、前記細孔の軸線は、前記表面パネルの前記厚さ方向に対して乗員席側に傾斜している、こと。
上記（１）の構成の車載表示装置によれば、インストルメントパネルに設置された第１の表示器とインストルメントパネルの近傍に配置された第２の表示器とが、特定の情報を連携して表示するので、表示の役割に適した位置で特定の情報を連携して表示させることができ、乗員に伝える情報を分かり易くすることができる。また、第１の表示器で表示される情報と第２の表示器で表示される情報とが連携しているので、車室内で躍動感のある表示も可能となる。
【０００８】
加えて、上記（１）の構成の車載表示装置によれば、車室内を形成するインストルメントパネルの筐体の表面に組み込まれた第１の表示器によって種々の情報が表示されるので、表示される運転情報と車両との一体感が感じられるようになる。この結果、運転者を含む乗員への情報の伝達効率を向上できる。
【０００９】
（２）  上記（１）の構成の車載表示装置であって、
前記第１の表示器が運転席側の前記インストルメントパネルの筐体に組み込まれた、こと。
上記（２）の構成の車載表示装置によれば、第２の表示器が配置された運転席側のインストルメントパネルに第１の表示器が設置されるので、複数の表示デバイスを密に配置することができ、運転者は全体の表示を把握し易くなる。
【００１０】
（３）  上記（１）の構成の車載表示装置であって、
前記第１の表示器が助手席側の前記インストルメントパネルの筐体に組み込まれた、こと。
上記（３）の構成の車載表示装置によれば、助手席側のインストルメントパネルに第１の表示器が設置されるので、エンタメ情報等、運転に直接に関係しない情報を第１の表示器に表示させるようにし、運転に直接に必要な情報とそうでない情報を区別して表示することもできる。
【００１１】
（４）  車室内で各種情報を表示する車載表示装置であって、
インストルメントパネルの筐体に組み込まれた第１の表示器と、
前記車室内に配置された第２の表示器と、を備え、
前記第１の表示器と前記第２の表示器とに表示される情報を連携して表示させ、
前記第１の表示器は、
前記インストルメントパネルの表面に沿うように敷設されたシート状のマウント基材であって、複数の光源が配列された回路体からなるマウント基材と、
前記マウント基材の表面に重ね合わされたシート状の表面パネルと、
からなるシート状の２層構造を有し、
前記表面パネルには、厚さ方向に貫通する複数の細孔が形成され、前記細孔の軸線は、前記表面パネルの前記厚さ方向に対して乗員席側に傾斜している、こと。
上記（４）の構成の車載表示装置によれば、インストルメントパネルに設置された第１の表示器と車室内に配置された第２の表示器とが、情報を連携して表示するので、表示の役割に適した位置で情報を連携して表示させることができ、乗員に伝える情報を分かり易くすることができる。また、第１の表示器で表示される情報と第２の表示器で表示される情報とが連携しているので、車室内で躍動感のある表示も可能となる。
【発明の効果】
【００１２】
本発明によれば、表示の役割に適した位置で特定の情報を連携して表示させることができ、乗員に伝える情報を分かり易くすることができる。
【００１３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１４】
【図１】図１は第１の実施形態における車載表示装置に含まれる表示ユニット３２が組み込まれたインストルメントパネル２０の近傍の外観を示す正面図である。
【図２】図２は表示ユニット３２の構造を示す斜視図である。
【図３】図３は表示ユニット３２の構造を一部拡大して示す断面図である。
【図４】図４はマウント基材６３に配列された各ＬＥＤ光源６５から表面パネル７０を通して投射される光Ｌの進行方向を説明する図である。
【図５】図５はインストルメントパネル２０及びその周辺に配置された各種の表示デバイス群３０を制御する制御装置５２を中心としたハードウェア構成を示す図である。
【図６】図６（Ａ）は速度超過が発生した時の表示例を示す図であり、図６（Ｂ）は車両の接近を警報する時の表示例を示す図である。
【図７】図７（Ａ）は音楽を再生する時の表示例を示す図であり、図７（Ｂ）はナビゲーション装置５８で案内される時の表示例を示す図である。
【図８】図８は第２の実施形態における車載表示装置に含まれる表示ユニット３２Ａが組み込まれたインストルメントパネル２０Ａの近傍の外観を示す正面図である。
【図９】図９は運転席側の車室内を側方から視た場合のインストルメントパネル２０Ａの近傍を示す図である。
【図１０】図１０（Ａ）はエンタメ情報を用いて音楽を聴く時の表示例を示す図であり、図１０（Ｂ）は速度超過が発生した時の表示例を示す図である。
【図１１】図１１（Ａ）は自車両への接近を検知する時の表示例を示す図であり、図１１（Ｂ）はナビゲーション装置５８で案内される時の表示例を示す図である。
【図１２】図１２（Ａ）〜図１２（Ｈ）は点光源により表示されるシンボルの例を示す図である。
【発明を実施するための形態】
【００１５】
以下、本実施形態に係る車載表示装置について図面を用いて説明する。本実施形態の車載表示装置は、インストルメントパネルの一部として、その表面に組み込まれた表示ユニットを含んでいる。
（第１の実施形態）
【００１６】
図１は第１の実施形態における車載表示装置に含まれる表示ユニット３２が組み込まれたインストルメントパネル２０の近傍の外観を示す正面図である。
運転席側から視た車室内には、フロントガラス１０、フロントミラー１３、インストルメントパネル２０、各種の表示デバイス群３０、ハンドル５０等が配置されている。
【００１７】
各種の表示デバイス群３０のうち、ハンドル５０に最も近く、運転者から見やすい位置にある、インストルメントパネル２０の中央前面には、メータディスプレイ３１が配置される。メータディスプレイ３１は、速度計３１Ａやエンジン回転数計３１Ｂ等を表示する。また、インストルメントパネル２０には、メータディスプレイ３１の庇となるメータフード２１が形成されている。
【００１８】
また、メータディスプレイ３１の両側には、一対の液晶ディスプレイ３６，３８が配置される。液晶ディスプレイ３６，３８（第２の表示器）は、運転情報、危険報知情報、ナビゲーション情報、エンタメ情報等の各種情報を表示する。
【００１９】
また、インストルメントパネル２０の上面には、ハイマウントディスプレイ３４が配置される。ハイマウントディスプレイ３４は、例えば方向指示器の画像を表示する。
【００２０】
また、フロントガラス１０に近接するインストルメントパネル２０の上面には、フロントガラス１０に向けて投影するヘッドアップディスプレイ３５が配置される。ヘッドアップディスプレイ３５は、運転者が視認し易いフロントガラス１０上の領域３５ａに、速度情報等を投影する。図１では、速度「６０ｋｍ」を表す情報が映し出されている。
【００２１】
メータディスプレイ３１の下方には、左右方向に延びたライン照明３９が配置される。ライン照明３９は、複数のＬＥＤ光源が左右方向に配列されたものであり、例えば、左右方向に流れるように点灯し、運転者に斬新な印象を与える。
【００２２】
一方、助手席側のインストルメントパネル２０の前面には、表示ユニット３２（第１の表示器）が組み込まれている。表示ユニット３２は、インストルメントパネル２０の助手席（乗員席）側の前面からフロントガラス１０の前端部の近傍まで、インストルメントパネル２０の表面に沿うように延在し、インストルメントパネル２０の筐体表面と略同一の面となるように組み込まれた表示デバイスである。
【００２３】
図２は表示ユニット３２の構造を示す斜視図である。表示ユニット３２は、インストルメントパネル２０の前面からフロントガラス１０の前端部に近接する位置（前端部の近傍）まで延在するように、奥行き感のある表示デバイスであり、ＬＥＤ回路体６０に表面パネル７０を重ね合せた構造を有する。
【００２４】
ＬＥＤ回路体６０は、マウント基材６３に階段状にＬＥＤ光源（点光源）６５が複数配列されたもので、インストルメントパネルの曲面の形状に合わせて成形されている。一方、表面パネル７０は、ＬＥＤ回路体６０と重なり合うように、湾曲した形状を有する。この表面パネル７０は、インストルメントパネル２０と一体の表面を形成している。つまり、表面パネル７０は、乗員からインストルメントパネルの一部のように視認される。表面パネル７０の表面には、後述するように、ＬＥＤ光源と対応する複数の細孔７１（図３参照）が形成されている。
【００２５】
図３は表示ユニット３２の構造を一部拡大して示す断面図である。マウント基材６３の表面には、乗員席側に向けて開口するように、多数の穴部６６（段部）が形成されている。各穴部６６の底面には、ＬＥＤ光源６５が配置される。
【００２６】
また、表面パネル７０には、複数の穴部６６から発せられるＬＥＤ光源６５の光Ｌが乗員席側に向かうように、複数の細孔７１が形成される。細孔７１の数は、１つのＬＥＤ光源６５に対し、６〜９個程度である。各細孔７１は、表面パネル７０の厚さ方向に対し所定の角度を有している。細孔７１の傾斜角は、乗員席に近い程、小さな値であり、フロントガラス１０に近接する程、大きな値である。また、表面パネル７０の面が乗員席側への方向と垂直あるいは垂直に近い箇所では、細孔７１の傾斜角は０度となってもよい。
【００２７】
また、穴部６６も、マウント基材６３の厚さ方向に対し傾斜しており、その傾斜角は、細孔７１と同様に、乗員席に近い程、小さな値であり、フロントガラス１０に近接する程、大きな値となる。穴部６６の内壁部は、ＬＥＤ光源６５からの光Ｌがフロントガラス１０に向かわないようにする、庇となる部材としても機能する。
【００２８】
このように、穴部６６の内壁部及び表面パネル７０の細孔７１は、マウント基材６３に配置されたＬＥＤ光源６５から発する光を車室内の乗員席側に導く導光機能を有する。なお、導光機能は、穴部６６の内壁部及び表面パネル７０の細孔７１のいずれか一方だけで実現されてもよい。
【００２９】
図４はマウント基材６３に配列された各ＬＥＤ光源６５から表面パネル７０を通して投射される光Ｌの進行方向を説明する図である。前述したように、表面パネル７０に形成された細孔７１の傾斜角は、乗員席側からフロントガラス１０の前端部にかけて徐々に大きな値になっているので、ＬＥＤ回路体６０に配置された全てのＬＥＤ光源６５からの光Ｌが、乗員席に着座している乗員５５の顔（点線枠ｍ参照）に向かうようになる。従って、乗員５５は、視線の方向を変えることなく、全てのＬＥＤ光源６５からの光を捉えることができる。
【００３０】
表示ユニット３２では、マウント基材６３に配置された各ＬＥＤ光源６５は、乗員席側からフロントガラス１０の前端部まで連続的に列を為して並んでいるので、点灯させた場合、奥行き感を持った表示が可能となる。また、消灯した場合、表示ユニット３２の表面パネル７０の内部に位置するＬＥＤ回路体６０は、表面パネル７０の細孔７１によって隠されるとともに、外部の光が表面パネル７０の内部に入りにくく内部が周囲より暗くなるため、乗員は、ＬＥＤ回路体６０の存在に気付きにくい。
【００３１】
図５はインストルメントパネル２０に配置された各種の表示デバイス群３０を制御する制御装置５２を中心としたハードウェア構成を示す図である。制御装置５２は、ＥＣＵ（Electronic Control Unit）により構成される。制御装置５２には、前述した各種の表示デバイス群３０が接続される他、速度センサ５６、車間距離センサ５７、ナビゲーション装置５８、スピーカ５９、操作スイッチ（ＳＷ）５３、カメラ５１等が接続される。
【００３２】
速度センサ５６は、車両の速度を検出する。車間距離センサ５７は、赤外線を送受信して対象物との距離を測定し、自車両への接近を検知する。なお、カメラで撮像された画像を解析することで、自車両への接近が検知される構成であってもよい。また、車間距離センサ５７は、車両の前方及び後方に限らず、左右方向に対しても対象物の自車両への接近を検知可能とするよう、複数設けられてもよい。
【００３３】
ナビゲーション装置５８は、ＧＰＳ（Global Positioning System）及び地図データを搭載し、自車両を目的地に案内する機能を有する。ここでは、ナビゲーション画面は、液晶ディスプレイ３６に表示される。スピーカ５９は、制御装置５２から出力される音声データに従って、運転情報、警報、音楽等の音情報を発する。
【００３４】
操作ＳＷ５３は、エンタメ情報の選択等、運転者による各種のスイッチ入力に用いられる。カメラ５１は、車両の前部、後部、左側部、右側部等に取り付けられ、車両の前方、後方、左側方、右側方等を撮像して画像を取得する。カメラ５１で撮像された画像は、障害物の検知や自車両への接近検知等に利用される。
【００３５】
つぎに、表示ユニット３２を用いた、制御装置５２による表示動作について説明する。図６及び図７は複数の表示デバイスを連携して動作させる場合の表示例を示す。図６（Ａ）は速度超過が発生した時の表示例を示す。制御装置５２は、速度センサ５６によって検出される車両の速度が法定速度等を超える場合、表示ユニット３２を赤色に点灯させる。この表示動作と連携して、制御装置５２は、ヘッドアップディスプレイ３５によって投影され、フロントガラス１０の領域３５ａに映し出される車両の速度を点滅表示させる。
【００３６】
このように、表示ユニット３２とヘッドアップディスプレイ３５の２つの表示デバイスを連携させて表示することによって、運転者は、速度超過であることに気付き易く、安全運転を励行しようとする意識を持つようになる。
【００３７】
さらには、速度の超過が大きくなるにつれて、表示ユニット３２が点灯する光の輝度を上げたりあるいは発光色を変えたり、フロントガラス１０に投影される速度画像の点滅周期を早くするようにしてもよく、運転者に速度超過（オーバ）であることの警告の度合いを高めることもできる。
【００３８】
図６（Ｂ）は車両の接近を警報する時の表示例を示す。制御装置５２は、車間距離センサ５７によって検出される自車両への接近が所定距離以下となって衝突の危険性が増してきた場合、表示ユニット３２に対し、車両の接近方向を表す矢印マークａを、フロントガラス１０側からインストルメントパネル２０の前面の方向に移動させる。つまり、遠方から手前に矢印マークａが迫ってくるように、遠近感のある表示が行われる。さらに、制御装置５２は、矢印マークａの移動とともに、ヘッドアップディスプレイ３５に接近距離（ここでは、２ｍ）のメッセージを表示させ、かつ、ライン照明３９を流れるように点灯させる。
【００３９】
このように、３つの表示デバイスを連携させて表示することで、乗員の意識をより特定の情報（接近情報）に向けさせることができる。つまり、運転者は、危険な状況にあることにすぐさま気付くことができ、また、運転者に対し、危険回避の行動を促すことができる。
【００４０】
図７（Ａ）は音楽を再生する時の表示例を示す。運転者が液晶ディスプレイ３６に表示されたエンタメ情報を利用して、操作ＳＷ５３を操作し、例えば音楽（楽曲ａａａ）を選択した場合、制御装置５２は、スピーカ５９から音楽を流すと同時に、表示ユニット３２に対し、流れる音楽のリズムやテンポに合わせて変化する波形ｂを表示させるとともに、ライン照明３９に対し、音楽のリズムやテンポに合わせて流れるように点灯箇所を移動させる。
【００４１】
このように、スピーカ５９から流れる音楽に合わせて、表示ユニット３２やライン照明３９が踊り出すように表示を変化させるので、車室内では、運転者が車両と一体となって音楽を楽しんでいるような雰囲気が生まれ、乗員は音楽を一層楽しむことができる。
図７（Ｂ）はナビゲーション装置５８で案内される時の表示例を示す。液晶ディスプレイ３６には、地図情報に自車両マークが重畳されたナビゲーション画面が表示される。制御装置５２は、ナビゲーション装置５８から、例えば右折を指示する信号を受信すると、表示ユニット３２の点灯を制御し、複数のＬＥＤ光源６５の点灯で形作られる、右折を表すマークｃを表示させる。これにより、運転者は、大きく表示された、右折を表すマークｃを見落とすことなく、ナビゲーションの指示に従った運転を行うようになる。
【００４２】
このように、第１の実施形態の表示ユニット３２は、助手席側のインストルメントパネル２０の筐体表面に組み込まれる。また、表示ユニット３２は、インストルメントパネル２０の筐体表面に沿うように、複数のＬＥＤ光源６５が配列されたマウント基材６３と、このマウント基材６３の表面を覆うように設けられ、ＬＥＤ光源６５から発する光を車室内の乗員席側に導く表面パネル７０と、を備える。また、マウント基材６３に形成された穴部６６の内壁部もＬＥＤ光源６５から発する光を車室内の乗員席側に導く。従って、車室内を形成するインストルメントパネル２０に組み込まれた表示ユニット３２は、フロントガラス１０に映り込ませることなく、乗員に向けて種々の情報を表示可能である。
【００４３】
また、助手席側のインストルメントパネル２０の筐体表面に組み込まれた表示ユニット３２は、液晶ディスプレイ３６やライン照明３９等の他の表示デバイスと連携して、さまざまにその表示を変化させ、乗員に対し、運転情報、危険報知情報、エンタメ情報等の情報を表示する。これにより、各表示デバイスに対し、それぞれの役割に適した表示が可能となる。
【００４４】
このように、車室内を形成するインストルメントパネルに組み込まれた表示ユニットによって、種々の情報が表示されるので、表示される運転情報と車両との一体感が感じられるようになる。この結果、運転者を含む乗員への情報の伝達効率が向上することが見込まれる。従って、運転者の関心度も高まり、安全運転への貢献が期待される。
【００４５】
また、助手席側のインストルメントパネル２０の表面に組み込まれた表示ユニット３２は、液晶ディスプレイ３６やライン照明３９等の他の表示デバイスとともに、さまざまに表示を変化させ、運転情報、危険報知情報、エンタメ情報等の情報（特定の情報）を連携して表示させることが可能である。
【００４６】
従って、表示の役割に適した位置で特定の情報を連携して表示させることができ、乗員に伝える情報を分かり易くすることができる。さらに、この表示ユニットと他の表示デバイスとが連携して表示するので、車室内で躍動感のある表示も可能となる。
【００４７】
また、助手席側のインストルメントパネルに表示ユニットが組み込まれているので、エンタメ情報等、運転に直接に関係しない情報を表示ユニットに表示させるようにし、運転に直接に必要な情報とそうでない情報を区別して表示することもできる。
【００４８】
また、３つ以上の表示デバイスを連携させて表示することで、乗員の意識をより特定の情報に向けさせることができる。例えば、３つ以上の表示デバイスに危険報知情報を連携して表示させることで、運転者は、危険な状況にあることにすぐさま気付くことができ、また、運転者に対し、危険回避の行動を促すことができる。
【００４９】
また、表示ユニット３２は、インストルメントパネルの前面からフロントガラスの前端部の近傍まで延在しているので、乗員に対し、遠近感のある表示が可能となる。また、遠近感のある表示に、フェードインやフェードアウトするような表示を付加することも可能である。これにより、乗員に迫るような情報伝達も可能となる。
【００５０】
なお、以上の説明においては、表示ユニット３２が液晶ディスプレイ３６やライン照明３９と連携して各種情報を表示する場合を例に説明したが、表示ユニット３２は、車室内のこの他の様々な表示装置と連携して情報を提示可能である。
例えば、車室の天井やピラーに設置されている照明と表示ユニット３２とを連携してもよい。また、車室の床に照明を設置し、この照明と表示ユニット３２との表示を連携してもよい。さらに、車室内の天井やピラー、床に表示デバイスを設置し、この表示デバイスと表示ユニット３２との間で連携表示させてもよい。これらの例は、以下の実施形態においても適用される。
【００５１】
なお、ここでは、表示ユニットと他の表示デバイスとを連携させて表示する場合を示したが、表示ユニット単独で表示させてもよいことは勿論である。
（第２の実施形態）
【００５２】
前記第１の実施形態では、助手席側のインストルメントパネルに表示ユニットが組み込まれていたが、第２の実施形態では、運転席側のインストルメントパネルに表示ユニットが組み込まれた場合を示す。
【００５３】
図８は第２の実施形態における車載表示装置に含まれる表示ユニット３２Ａが組み込まれたインストルメントパネル２０Ａの近傍の外観を示す正面図である。
運転席側から視た車室内には、フロントガラス１０、フロントミラー１３、インストルメントパネル２０Ａ、各種の表示デバイス群３０Ａ、ハンドル５０等が配置されている。
【００５４】
表示デバイス群３０Ａのうち、ハンドル５０に最も近く、運転者から見やすい位置にある、インストルメントパネル２０Ａの中央前面には、表示ユニット３２Ａがインストルメントパネル２０Ａに組み込まれて一体化されている。表示ユニット３２Ａは、前記第１の実施形態の表示ユニット３２と同じ構造を有するので、その説明を省略する。
【００５５】
第２の実施形態では、助手席側のインストルメントパネル２０Ａには、特に表示デバイスが設けられていない。なお、表示ユニット３２Ａがフロントガラス１０の前端部に極めて近い位置まで延在する場合、ハイマウントディスプレイ３４及びヘッドアップディスプレイ３５は省かれてもよい。
【００５６】
図９は運転席側の車室内を側方から視た場合のインストルメントパネル２０Ａの近傍を示す図である。前記第１の実施形態と同様、表示ユニット３２Ａから発せられる光Ｌは、運転者の顔に向かっていくので、運転者は顔の向きを変えることなく、表示ユニット３２Ａの表示内容を把握できる。
その他の表示デバイス及び制御装置５２の構成は、前記第１の実施形態と同一であるので、前記第１の実施形態と同一の構成要素については同一の符号を用いることで、その説明を省略する。
【００５７】
図１０は複数の表示デバイスを連携して動作させる場合の表示例を示す。図１０（Ａ）はエンタメ情報を用いて音楽を聴く時の表示例を示す。制御装置５２は、音楽のリズムやテンポに合わせて、ライン照明３９と表示ユニット３２Ａを連携させて表示させる。例えば、制御装置５２は、図中矢印ｅに示すように、ライン照明３９の点灯箇所を左側から右方向に移動させ、表示ユニット３２Ａの左端に辿り着いた所で、ライン照明３９から表示ユニット３２Ａに点灯を切り替える。そして、制御装置５２は、図中矢印ｆに示すように、表示ユニット３２Ａに対し、ＬＥＤ光源６５の点灯を波のように変化させ、表示ユニット３２Ａの右端に辿り着いた所で、再びライン照明３９に点灯を切り替える。制御装置５２は、図中矢印ｇに示すように、ライン照明３９の点灯箇所をさらに右方向に移動させる。制御装置５２は、このような表示動作を音楽が流れている間繰り返す。
【００５８】
運転者は、ライン照明３９のみならず、眼前の表示ユニット３２Ａで点灯箇所が踊るように移動するので、車両と一体感を持って音楽を聴くことができる。これにより、音楽を楽しむ際に満足感が得られ易くなる。
【００５９】
図１０（Ｂ）は速度超過が発生した時の表示例を示す。速度超過が発生した場合、制御装置５２は、車両の進行を表すマークｈを表示ユニット３２Ａに表示させ、図中上方に移動させる。さらに、制御装置５２は、速度センサ５６から得られる速度が大きくなる程、表示ユニット３２Ａに表示される車両の進行を表すマークｈの前方への移動速度を速くする。このような遠近感のある表示によって、運転者は速度超過が大きくなっていることに気付き易くなる。
【００６０】
図１１は複数の表示デバイスを連携して動作させる場合の他の表示例を示す。図１１（Ａ）は自車両への接近を検知する時の表示例を示す。制御装置５２は、カメラ５１で撮像される画像から自車両への接近を検知すると、表示ユニット３２Ａを黄色に点灯させる。この表示動作と同時に、制御装置５２は、カメラ５１によって撮像された左側方の画像を左側の液晶ディスプレイ３６に表示させるとともに、カメラ５１によって撮像された右側方の画像を右側の液晶ディスプレイ３８に表示させる。
【００６１】
運転者は、表示ユニット３２Ａが黄色で点灯すると、左右の液晶ディスプレイ３６，３８を見ることで、頭を振ることなく、左右方向の車両外部の状況を把握でき、衝突を回避できる。また、左側の液晶ディスプレイ３６に左側方の画像が表示され、右側の液晶ディスプレイ３８に右側方の画像が表示されるので、表示の役割に適した位置に画像を表示でき、直感的に撮像画像の方向を理解できる。
【００６２】
図１１（Ｂ）はナビゲーション装置５８で案内される時の表示例を示す。液晶ディスプレイ３６には、地図情報に自車両マークが重畳されたナビゲーション画面が表示される。制御装置５２は、ナビゲーション装置５８から、例えば右折を指示する信号を受信すると、表示ユニット３２Ａの点灯を制御し、複数のＬＥＤ光源６５の点灯で形作られる、右折を表すマークｑを表示させる。さらに、制御装置５２は、右側の液晶ディスプレイ３８に、カメラ５１によって撮像された右折方向の画像を表示させる。
【００６３】
これにより、運転者は、大きく表示された、右折を表すマークｑを見落とすことなく、ナビゲーションの指示に従った運転を行うようになる。さらに、右折時に、進行方向の画像が液晶ディスプレイ３８に表示されるので、表示の役割に適した位置に画像を表示でき、より安全を確認しながら運転できる。
【００６４】
このように、運転席側のインストルメントパネル２０Ａの表面に組み込まれた表示ユニット３２Ａにおいても、液晶ディスプレイ３６やライン照明３９等の他の表示デバイスとともに、さまざまに表示を変化させ、運転情報、危険報知情報、エンタメ情報等の情報（特定の情報）を連携して表示させることが可能である。また、他の表示デバイスが配置された運転席側のインストルメントパネルに表示ユニットを組み込むことで、複数の表示デバイスを密に配置することができ、運転者は全体の表示を把握し易くなる。
【００６５】
また、運転席側のインストルメントパネル２０Ａに組み込まれた表示ユニット３２Ａに、通常の運転情報を表示させて運転者に伝えることも可能である。例えば、方向指示器、ヘッドライトのオン／オフ、エアコンのオン／オフ等の情報を、表示ユニット３２Ａに表示させてもよい。
これにより、より一層、表示される運転情報と車両との一体感が感じられるようになる。この結果、運転者への情報の伝達効率が向上することが見込まれる。
【００６６】
さらに別の例として、図１２に示すように、表示ユニット３２Ａは、液晶ディスプレイ３６やライン照明３９と連動させながら、文字や絵、シンボルなど様々なコンテンツを、発光する点光源の組み合わせによって、即ちドットパターンによって表示することができる。
【００６７】
例えば、図１２（Ａ）のように、表示ユニット３２は、車両が快調に走行している場合、あるいは軽快な音楽の再生中に、スマイルマークを表示してもよい。逆に、図１２（Ｅ）のように、車両の燃費が悪い状態で走行している場合などには、泣き顔や困り顔のマークを表示してもよい。このほかにも、表示ユニット３２は、図１２（Ｂ）に示すシンボルや、図１２（Ｃ）に示す速度、図１２（Ｄ）に示すお天気情報、図１２（Ｆ）に示す「止まれ」などの標識、図１２（Ｇ）に示す車間距離に応じたライン、図１２（Ｈ）に示す起動時などのメッセージを表示するようにしてもよい。なお、この表示は、第１の実施形態に係る表示ユニット３２によって表示されてももちろんよい。
【００６８】
なお、本発明の技術的範囲は、上述した実施形態に限定されるものではない。上述した実施形態は、本発明の技術的範囲内で種々の変形や改良等を伴うことができる。
例えば、上記実施形態では、複数のＬＥＤ光源がインストルメントパネルの前面からフロントガラスの前端部の近傍までラウンドしたマウント基材に配列され、その上面を表面パネルが覆うことで、インストルメントパネルに組み込まれる表示ユニットが成形されたが、つぎのように成形されてもよい。インストルメントパネルの前面からフロントガラスの前端部の近傍までラウンドするように形成されたプリント基板にＬＥＤをあらかじめ実装しておき、このプリント基板の上面を表面パネルが覆うことで、表示ユニットが成形されてよい。このプリント基板として、例えばＰＣＢ（Printed Circuit Board）基板が用いられる。
【００６９】
また、上記実施形態では、表示ユニット３２に用いられる光源として、ＬＥＤ光源を挙げたが、有機ＥＬなど一面に画像を表示するデバイスを表示ユニットに採用してもよい。さらに、有機ＥＬにドットパターンを表示させ点光源のように機能させてもよい。
さらに、表示ユニット３２は、ＴＦＴ（Thin Film Transistor）を用いて画像を表示するようにしてもよい。この場合、例えば、ＬＥＤ回路体６０のマウント基材６３が段状に形成され、ＴＦＴが各段に配置される。
【００７０】
また、上記実施形態では運転席側あるいは助手席側のどちらか一方のインストルメントパネルにだけ表示ユニットが組み込まれていたが、運転席側と助手席側の双方に組み込まれていてもよい。
また、上記実施形態では、３つの表示デバイスで表示される情報を連携させたが、４つ以上の表示デバイスで表示される情報を連携させてもよい。
【００７１】
ここで、上述した本発明に係る車載表示装置の実施形態の特徴をそれぞれ以下（１）〜（４）に簡潔に纏めて列記する。
（１）車室内で各種情報を表示する車載表示装置であって、
インストルメントパネル（２０，２０Ａ）の筐体に組み込まれた第１の表示器（表示ユニット３２，３２Ａ）と、
前記インストルメントパネル（２０，２０Ａ）の近傍に配置された第２の表示器（液晶ディスプレイ３６，３８）と、を備え、
前記第１の表示器（表示ユニット３２，３２Ａ）と前記第２の表示器（液晶ディスプレイ３６，３８）とに表示される情報を連携して表示させる、
車載表示装置。
【００７２】
（２）前記第１の表示器（表示ユニット３２，３２Ａ）が、前記筐体の表面に沿って画像を表示する基材（マウント基材６３）と、前記基材（マウント基材６３）の表面を覆い、前記基材（マウント基材６３）により表示された画像を車室内の乗員席側に導く表面パネル（７０）と、を備える、
上記（１）に記載の車載表示装置。
【００７３】
（３）前記第１の表示器（表示ユニット３２Ａ）が運転席側の前記インストルメントパネル（２０Ａ）の筐体に組み込まれた、
上記（１）又は（２）に記載の車載表示装置。
【００７４】
（４）前記第１の表示器（表示ユニット３２）が助手席側の前記インストルメントパネル（２０）の筐体に組み込まれた、
上記（１）又は（２）に記載の車載表示装置。
【００７５】
（５）車室内で各種情報を表示する車載表示装置であって、
インストルメントパネル（２０）の筐体に組み込まれた第１の表示器（表示ユニット３２）と、
前記車室内に配置された第２の表示器と、を備え、
前記第１の表示器（表示ユニット３２）と前記第２の表示器とに表示される情報を連携して表示させる、
車載表示装置。
【符号の説明】
【００７６】
１０  フロントガラス
１３  フロントミラー
２０、２０Ａ  インストルメントパネル
２１  メータフード
３０、３０Ａ  表示デバイス群
３１  メータディスプレイ
３２、３２Ａ  表示ユニット
３４  ハイマウントディスプレイ
３５  ヘッドアップディスプレイ
３５ａ  領域
３６，３８  液晶ディスプレイ
３９  ライン照明
５０  ハンドル
５３  操作スイッチ（ＳＷ）
５５  乗員
５６  速度センサ
５７  車間距離センサ
５８  ナビゲーション装置
５９  スピーカ
６０  ＬＥＤ回路体
６３  マウント基材
６５  ＬＥＤ光源
６６  穴部
７０  表面パネル
７１  細孔
【図１】
0006342761.tif 000002
【図２】
0006342761.tif 000003
【図３】
0006342761.tif 000004
【図４】
0006342761.tif 000005
【図５】
0006342761.tif 000006
【図６】
0006342761.tif 000007
【図７】
0006342761.tif 000008
【図８】
0006342761.tif 000009
【図９】
0006342761.tif 000010
【図１０】
0006342761.tif 000011
【図１１】
0006342761.tif 000012
【図１２】
0006342761.tif 000013